(57)【要約】【課題】適切な位置に位置決めされて嵌合することが可能なコネクタを提供する。【解決手段】ナビゲーション装置などの機器の筐体２２に収容される記憶装置１０に備えられた記憶装置側コネクタ１１と嵌合するために、機器側に設けられている機器側コネクタ４０に、記憶装置１０が筐体２２へ収容されるのを案内する収容用ガイド４５を一体に形成する。【選択図】図３
2009104851.tif 000002
【特許請求の範囲】
【請求項１】
所定の機器に収容される記憶装置に備えられた記憶装置側コネクタと嵌合するために、前記機器に設けられているコネクタであって、
前記記憶装置が前記機器へ収容されるのを案内する収容用ガイドが一体に形成されていることを特徴とするコネクタ。
【請求項２】
請求項１において、
前記記憶装置側コネクタと嵌合する機器側の嵌合部に隣接して、その嵌合部と前記記憶装置側コネクタとが嵌合するのを案内する嵌合用ガイドがさらに備えられていることを特徴とするコネクタ。
【発明の詳細な説明】
【技術分野】
【０００１】
本発明は、記憶装置に備えられている記憶装置側コネクタと嵌合するために、記憶装置を収容する機器に設けられているコネクタに関する。
【背景技術】
【０００２】
ハードディスクなどの記憶装置は、たとえば、カーナビゲーション装置などの他の機器に収容され、収容されている機器とコネクタによって嵌合して機能するように構成されていることがある。
【０００３】
このように記憶装置が他の機器に収容される場合、記憶装置を機器に収容しやすいようにするため、および、記憶装置に設けられているコネクタと機器に設けられているコネクタとが嵌合しやすいようにするために、ガイドが設けられることがある。
【０００４】
図１は、記憶装置とその記憶装置を収容する機器との従来の脱着構造の一例を示す図である。図１に示す構造では、記憶装置１０を収容する機器の筐体２０に、記憶装置１０が筐体２０に収容されるのを案内する収容用ガイド２１が設けられている。また、筐体２０には基板３０も収容されており、基板３０の端には機器側コネクタ３１が固定されている。記憶装置１０に形成されたガイド溝１２の端に収容用ガイド２１の端を嵌め入れ、次いで、記憶装置１０を機器側コネクタ３１の方向へ移動させていくと、記憶装置１０は収容用ガイド２１に案内されつつ筐体２０に収容される。収容用ガイド２１に案内されることにより、記憶装置１０は筐体２０に対する幅方向の位置調整が行われることになる。また、同時に、記憶装置側コネクタ１１の機器側コネクタ３１に対する位置調整も行なわれることになる。そして、記憶装置１０は最終的には記憶装置側コネクタ１１が機器側コネクタ３１と嵌合する位置まで移動させられることになる。なお、以下、２つの部材の相対的な位置の調整を位置出しということもある。
【０００５】
ところで、記憶装置１０を筐体２０に収容する際に、２つのコネクタ１１、３１の位置出しが不十分であると、コネクタ１１、３１の接点同士にずれが生じたり、接点のはんだ部に過度の負荷がかかり、そのはんだ部にクラックが生じたりすることがある。また、接点の脱落が生じることもある。その結果、信号短絡等の不具合が生じることがある。
【０００６】
ここで、特許文献１のように、コネクタに嵌合ガイドを設ける技術が知られている。この特許文献１の嵌合ガイド付きコネクタは、雌コネクタに設けられている２つのガイドのうちの一方が筒状の四角穴になっており、雄コネクタのガイドがその筒状の四角穴に差し込まれることから、互いのコネクタの位置出しが精度よく行われることになる。
【０００７】
また、特許文献２のように、コネクタに取り付けるガイドを別部品として用意して、そのガイドをコネクタに取り付ける技術も知られている。
【特許文献１】特開平９−３２０６８４号公報
【特許文献２】特開平８−１８５９２４号公報
【発明の開示】
【発明が解決しようとする課題】
【０００８】
前述の特許文献１では、互いのガイドが嵌り合うことによってコネクタの位置出しが精度よく行なわれるのであるが、部材寸法や部材固定位置には公差を考慮する必要がある。すなわち、互いのガイドが嵌り合うためには、ガイド付コネクタを備えた装置（たとえば記憶装置）の位置が他方のコネクタの公差の範囲で自由に位置決めできるようになっている必要がある。しかし、その一方で、ある機器にガイド付きコネクタを備えた記憶装置が収容されるようになっている場合、記憶装置の位置は収容される機器の筐体によって制限されることも多い。
【０００９】
ここで、図１に示した従来構造において、互いのコネクタの位置がどの程度ずれるかを図２を用いて説明する。図２において、Ａは筐体２０に設けられている左右の収容用ガイド２１の間の寸法であり、ａはその寸法Ａの公差である。Ｂは収容用ガイド２１の幅寸法であり、ｂは寸法Ｂの公差である。Ｃは筐体２０の内側面から機器側コネクタ３１の固定位置（機器側コネクタ３１と基板３０とを筐体２０に固定しているネジ等の位置）までの寸法であり、ｃは寸法Ｃの公差である。Ｄは機器側コネクタ３１の固定位置とそのコネクタ３１の幅方向中心との間の寸法であり、ｄは寸法Ｄの公差である。Ｅは記憶装置１０に形成されている一対のガイド溝１２の間の寸法であり、ｅは寸法Ｅの公差である。そして公差ａ〜ｅはすべていずれか一方のコネクタ１１、３１の位置に影響する。上記各公差ａ〜ｅをそれぞれ０．２ｍｍとした場合、互いのコネクタ１１、３１の位置は、公差の累積（すなわち公差の総和）により、最大１．２ｍｍずれることになる。
【００１０】
従って、記憶装置１０の位置許容範囲がそれ以下である場合、コネクタ同士が嵌合できる位置まで記憶装置１０自体を移動させることができず、結果、コネクタ同士を嵌合させることができないことになる。仮に図１においてコネクタを特許文献１のコネクタに置き換えたとしても、互いのコネクタの位置がずれる程度は同じであることから、特許文献１のコネクタを用いた場合にも、コネクタ同士を嵌合させることができない恐れがあることになる。
【００１１】
また、特許文献２の構成の場合には、コネクタとガイドとが別部品であるので、位置出し精度が不十分となる可能性があり、累積公差によってはコネクタ同士が嵌合できない恐れがある。また、コネクタとガイドとを別部品としたことから、コスト高にもなる。
【００１２】
本発明は、この事情に基づいて成されたものであり、その目的とするところは、適切な位置に位置決めされて嵌合することが可能なコネクタを提供することにある。
【課題を解決するための手段】
【００１３】
その目的を達成するための請求項１記載の発明は、所定の機器に収容される記憶装置に備えられた記憶装置側コネクタと嵌合するために、前記機器に設けられているコネクタであって、前記記憶装置が前記機器へ収容されるのを案内する収容用ガイドが一体に形成されていることを特徴とする。
【００１４】
このように、機器側のコネクタに、記憶装置が機器へ収容されるのを案内する収容用ガイドを一体に形成すれば、記憶装置側コネクタと嵌合する嵌合部と収容用ガイドとの間の寸法の公差が少なくなる。その結果、収容用ガイドを利用して記憶装置を記憶装置へ収容させていくと、記憶装置側コネクタと機器側コネクタの嵌合部とは適切な位置に位置決めされて嵌合されることになる。その結果、接点同士が適切な位置にて接触することになるので、信号短絡等の不具合が減少する。また、部品点数も減少することから、コストを抑えることもできる。
【００１５】
また、前記記憶装置側コネクタと嵌合する機器側の嵌合部に隣接して、その嵌合部と前記記憶装置側コネクタとが嵌合するのを案内する嵌合用ガイドがさらに備えられていることが好ましい。このようにすれば、コネクタに設けられている接点同士がより適切な位置にて接触することになる。
【発明を実施するための最良の形態】
【００１６】
以下、本発明の実施の形態を図面に基づいて説明する。なお、図１、２と同一の構成を有する部材には同一の符号を付してある。
【００１７】
図３は、記憶装置１０が、ナビゲーション装置などの機器に設けられている筐体２２に収容される構造を説明する図である。なお、記憶装置１０は、たとえば、ハードディスクであるが、ＵＳＢメモリ等であってもよい。
【００１８】
前述のように、記憶装置１０は記憶装置側コネクタ１１（以下、単にコネクタ１１ということもある）を備えている。このコネクタ１１は複数の端子を有しており、それら複数の端子が並列に配置されている。また、記憶装置１０には、前述のように一対のガイド溝１２が形成されている。このガイド溝１２は、記憶装置１０の対向する一対の側面にそれぞれ形成されている。また、一対のガイド溝１２は、互いに同一形状であり、記憶装置１０の上下面に平行に形成されている。
【００１９】
筐体２２は、長方形状の底板２２１と、その底板２２１の短辺側の縁から立ち上がる奥壁２２２と、底板２２１の一対の長辺側の縁からそれぞれ立ち上がる側壁２２３、２２３とによって構成される。筐体２２には、奥壁２２２に対向する壁はなく、奥壁２２２と対向する側に開口している。この開口から記憶装置１０が筐体２２に差し込まれる。
【００２０】
筐体２２の底板２２１には、基板３０と、本発明の実施形態となる機器側コネクタ４０（以下、単にコネクタ４０ということもある）とが固定されている。基板３０は、底板２２１上において奥壁２２２に略接する位置に配置されている。コネクタ４０は、その基板３０上の奥壁２２２とは反対側の端に配置されている。そして、コネクタ４０に設けられている２つの固定用穴４１および基板３０を貫通し底板２２１に螺合する固定部品（ネジやボルト等（図示せず））によって、コネクタ４０と基板３０は筐体２２に固定される。
【００２１】
図４は、上記コネクタ４０の拡大斜視図である。この図４を用いてコネクタ４０の構造をさらに説明する。コネクタ４０は、記憶装置側コネクタ１１と嵌合する嵌合部４２を有している。この嵌合部４２のハウジング４２１は、機器側コネクタ１１に嵌合する形状となっており、ハウジング４２１内に、記憶装置側コネクタ１１に設けられている複数の端子にそれぞれ対応する複数の端子４２２が配置されている。
【００２２】
コネクタ４０には、ハウジング４２１の奥行き方向（ハウジング４２１の開口面に垂直な方向）の中央付近に、ハウジング４２１の開口面に平行に背板部４３が形成されている。背板部４３は長方形状であって、ハウジング４２１から上下方向に突き出すとともに、幅方向両側にも突き出している。そして、背板部４３の幅方向の両端からは、それぞれ、ガイド支持板部４４が背板部４３に対して垂直となるように突き出している。
【００２３】
このガイド支持板部４４は先端側ほど細くなる台形形状を有しており、このガイド支持板部４４の互いの対抗面に収容用ガイド４５が形成されている。上記収容用ガイド４５は、角柱形状であって、ガイド支持板部４４の基端から先端まで形成されている。また、収容用ガイド４５の先端側は、先端へ向かうほど細くなっている。
【００２４】
この図４に示すコネクタ４０の材料としては、樹脂を用いることができる。ただし、ハウジング４２１以外は、金属を用いることもできる。また、樹脂を用いる場合であっても、金属で覆うことによって、シールド付きコネクタとすることもできる。
【００２５】
図１に戻り、このように収容用ガイド４５を一体に有するコネクタ４０が筐体２２に固定されている状態では、一対のガイド支持板部４４が筐体２２の側壁２２２に略接する状態となっている。
【００２６】
記憶装置１０を筐体２２に収容する際には、筐体２２の開口から記憶装置１０を筐体２２に差し込んでいき、記憶装置１０の一対のガイド溝１２の端に、機器側コネクタ４０に形成されている収容用ガイド４５の端を嵌めいれ、次いで、２つのコネクタ１１、４０が嵌合するまで、記憶装置１０を収容用ガイド４５に沿って移動させることになる。
【００２７】
図５は、本実施形態の構造において、互いのコネクタ１１、４０の位置がどの程度ずれるかを説明する図である。図５において、Ａ、ａ、Ｅ、ｅ、Ｆ、ｆは図２と同じ意味である。Ｇはコネクタ４０の収容用ガイド４５からコネクタ４０の幅方向中心までの寸法であり、ｇは寸法Ｇの公差である。
【００２８】
図５に示すように、いずれか一方のコネクタ１１、４０の位置に影響する公差はａ、ｅ、ｆ、ｇの４つであり、それらの公差を図２の場合と同様にそれぞれ０．２ｍｍとすると、互いのコネクタ１１、４０の位置は、最大でも０．８ｍｍであり、図１、２に示す構造よりも累積公差を０．４ｍｍ改善できることが分かる。
【００２９】
以上、説明した本実施形態によれば、機器側コネクタ４０に、記憶装置１０を筐体２２へ収容するのを案内する収容用ガイド４５を一体に形成しているので、機器側コネクタ４０の嵌合部４２と収容用ガイド４５との間の寸法の公差が少なくなる。その結果、収容用ガイド４５を利用して記憶装置１０を筐体２２へ収容させていくと、記憶装置側コネクタ１１と機器側コネクタ４０の嵌合部４２との位置出しも精度よく行なわれることになる。従って、記憶装置側コネクタ１１は機器側コネクタ４０の嵌合部４２に対して適切な位置に位置決めされて嵌合されることになる。その結果、接点同士が適切な位置にて接触することになるので、信号短絡等の不具合が減少する。また、部品点数も減少することから、コストを抑えることもできる。
【００３０】
以上、本発明の実施形態を説明したが、本発明は上述の実施形態に限定されるものではなく、次の実施形態も本発明の技術的範囲に含まれ、さらに、下記以外にも要旨を逸脱しない範囲内で種々変更して実施することができる。
【００３１】
たとえば、図６に示すように、機器側コネクタ４０の嵌合部４２に隣接して、その嵌合部４２と記憶装置１０に形成されている記憶装置側コネクタ１１とが嵌合するのを案内する嵌合用ガイドとして、嵌合突起４６を形成してもよい。この場合には、記憶装置１０のコネクタ１１に隣接して、上記嵌合突起４６と嵌合する嵌合孔１３を形成することになる。このように、嵌合部４２に隣接して嵌合突起４６を設ければ、コネクタ１１、４０に設けられている接点同士がより適切な位置にて接触することになる。
【００３２】
また、機器側コネクタ４０やそれ以外の機器側の部材に、フローティング構造を持たせてもよい。図７は、前述の実施形態とは別の機器側コネクタ５０と記憶装置１０との脱着構造を示す斜視図であり、フローティング構造を有している例である。また、図８は、図７の平面図であり、図９は、図８のＩＸ−ＩＸ矢視断面図である。
【００３３】
図７、図８に示すように、この機器側コネクタ５０も、ガイド支持板部４４と収容用ガイド４５を備えている。そのため、前述の実施形態と同様にして、記憶装置１０に形成されている記憶装置側コネクタ１１（図７、図８には図示せず）と嵌合することができる。また、この機器側コネクタ５０は、背板部５１がガイド支持板部４４から突き出しており、その突き出した部分に貫通穴５２が形成されている。段付きねじ６０がこの貫通穴５２を貫通して、記憶装置１０を収容するフレーム６１と結合する。
【００３４】
ただし、図９に示すように、段付きねじ６０の段付き部６０１の直径をγ、貫通穴５２の穴径をδとすると、δ＞γとなっており、貫通穴５２と段付きねじ６０の段付き部６０１の間にクリアランスα（＝δ−γ）が生じる。また、段付き部６０１の軸方向長さは、背板部５１の板厚よりも厚くなっており、これによってクリアランスβが生じる。これらのクリアランスα、βによって、機器側コネクタ５０は、フレーム６１と結合した状態でも可動性を有する。
【００３５】
なお、図７〜９の例では、機器側コネクタ５０にはワイヤハーネス６２が連結されている。このように、コネクタ５０の先がワイヤハーネスになっていてもよい。
【図面の簡単な説明】
【００３６】
【図１】記憶装置とその記憶装置を収容する機器との従来の脱着構造の一例を示す図である。
【図２】図１に示した従来構造において、互いのコネクタの位置がどの程度ずれるかを説明する図である。
【図３】記憶装置１０が、ナビゲーション装置などの機器に設けられている筐体２２に収容される構造を説明する図である。
【図４】図３のコネクタ４０の拡大斜視図である。
【図５】図３に示した実施形態の構造において、互いのコネクタ１１、４０の位置がどの程度ずれるかを説明する図である。
【図６】嵌合用ガイドとしての嵌合突起４６を備えた機器側コネクタを示す斜視図である。
【図７】図３の実施形態とは別の機器側コネクタ５０と記憶装置１０との脱着構造を示す斜視図である。
【図８】図７の平面図である。
【図９】図８のＩＸ−ＩＸ矢視断面図である。
【符号の説明】
【００３７】
１０：記憶装置、      １１：記憶装置側コネクタ、      １２：ガイド溝、      ２０：筐体、      ２１：収容用ガイド、      ２２：筐体、      ２２１：底板、      ２２２：奥壁、      ２２３：側壁、      ３０：基板、      ３１：機器側コネクタ、      ４０：機器側コネクタ、      ４１：固定用穴、      ４２：嵌合部、      ４２１：ハウジング、      ４２２：端子、      ４３：背板部、      ４４：ガイド支持板部、      ４５：収容用ガイド、      ４６：嵌合突起（嵌合用ガイド）、      ５０：機器側コネクタ、      ５１：背板部、      ５２：貫通穴、      ６０：段付きねじ、      ６１：フレーム、      ６２：ワイヤハーネス
【図１】
2009104851.tif 000003
【図２】
2009104851.tif 000004
【図３】
2009104851.tif 000005
【図４】
2009104851.tif 000006
【図５】
2009104851.tif 000007
【図６】
2009104851.tif 000008
【図７】
2009104851.tif 000009
【図８】
2009104851.tif 000010
【図９】
2009104851.tif 000011